(57)【要約】 【課題】  シート部へ入浴者を移乗させる際に、介助者が入浴用車椅子へ最大限接近できるようにし移乗に係る作業性を向上させた入浴用車椅子を提供すること。【解決手段】  走行可能な台車部と、台車部に軸着された背凭部と、背凭部に固着された座席部と、座席部に対して水平方向に旋回可能に取着された左右一対の下肢支持部とを有し、左右の下肢支持部をそれぞれ座席部の側方方向へ旋回可能としたことを特徴とする入浴用車椅子である。【選択図】  図１
2006102225.tif 000002
【特許請求の範囲】
【請求項１】
走行可能な台車部と、台車部に軸着された背凭部と、背凭部に固着された座席部と、座席部に対して水平方向に旋回可能に取着された左右一対の下肢支持部とを有し、左右の下肢支持部はそれぞれ座席部の側方方向へ退避可能であることを特徴とする入浴用車椅子。
【請求項２】
走行可能な台車部と、台車部に軸着された背凭部と、背凭部に固着された座席部と、座席部に対して前後方向に摺動可能に取着された下肢支持部とを有し、下肢支持部を座席部に対して後方向へ摺動させることにより下肢支持部の少なくとも一部を座席部の下方に退避可能としたことを特徴とする入浴用車椅子。  
【請求項３】
下肢支持部を座席部に対して複数段階的に後方向へ摺動させることを特徴とする請求項２記載の入浴用車椅子。  
【請求項４】
下肢支持部の先部を鉛直方向に回動可能とした請求項２記載の入浴用車椅子。  
【発明の詳細な説明】
【技術分野】
【０００１】
本発明は、入浴者を着座状態で浴槽内へ挿入し入浴に供する入浴用の車椅子に関するものである。
【背景技術】
【０００２】
下記特許文献１には、シート部の前方両側部に肘掛けを備え、シート部の前方下部にフットレストを備えた車椅子が開示されている。
【０００３】
上記の車椅子は、フットレストが椅子部本体の前方に常に固定状態とされている為、介助者が入浴者を搬送用の他機器（車椅子等）から入浴用の車椅子のシート部へ移乗させる際にフットレストが移乗作業の邪魔になり不便であるといった欠点を有していた。  
【特許文献１】特開平９−１０８２９０号
【発明の開示】
【発明が解決しようとする課題】
【０００４】
本発明は、上記問題点に鑑みてなされたもので、シート部へ入浴者を移乗させる際に、介助者が入浴用車椅子へ最大限接近できるようにし移乗に係る作業性を向上させた入浴用車椅子を提供することを目的とするものである。
【課題を解決するための手段】
【０００５】
上記の目的を実現する為、本発明では、走行可能な台車部と、台車部に軸着された背凭部と、背凭部に固着された座席部と、座席部に対して水平方向に旋回可能に取着された左右一対の下肢支持部とを有し、左右の下肢支持部をそれぞれ座席部の側方方向へ退避可能としたことを特徴としている。
【０００６】
又、走行可能な台車部と、台車部に軸着された背凭部と、背凭部に固着された座席部と、座席部に対して前後方向に摺動可能に取着された下肢支持部とを有し、下肢支持部を座席部に対して後方向へ摺動させることにより下肢支持部の少なくとも一部を座席部の下方に退避可能としたことを特徴とする。
【０００７】
更に、下肢支持部を座席部に対して複数段階的に後方向へ摺動させることを特徴とする。
【０００８】
更に、下肢支持部の先部を鉛直方向に回動可能したことを特徴とする。
【発明の効果】
【０００９】
本発明は左右一対の下肢支持部をそれぞれ座席部の側方方向へ退避可能としたものであるから、介助者は入浴者を浴室まで搬送する他の車椅子等の福祉機器から入浴者を座席部に移乗させる作業を行う際、又は、本発明の入浴用車椅子から他の福祉機器に入浴者を移乗させる作業を行う際に、一対の下肢支持部を座席部の左右側方方向へ旋回させ一時的に退避することで座席部前方に移乗作業スペースを確保でき、下肢支持部が座席部前方からの移乗作業の妨げとならず移乗作業を円滑に行え、フットレストが座席部の前方位置に常時固定状態にある従来の車椅子に比して、介助者は座席部の前方向から入浴用車椅子により接近して移乗作業を行うことができるのでより楽な体勢で移乗作業が行え、その結果、介助者の作業労力及び負担を軽減できる。
【００１０】
本発明は下肢支持部を座席部に対して後方向へ摺動可能としたものであるから、介助者は下肢支持部を座席部の下方に一時的に退避することで下肢支持部が移乗作業の妨げにならず移乗作業を円滑に行え、座席部の前方向から接近して移乗作業を行うことができるのでより楽な体勢で移乗作業が行え、その結果、介助者の作業労力及び負担を軽減できる。
【００１１】
又、従来の車椅子では移乗作業時に介助者が誤って入浴者の下肢をフットレストに衝突させてしまい、入浴者の下肢に損傷を与えてしまうといった危険性が懸念されていたが、本発明は移乗作業時に下肢支持部を座席部の下方に退避収納しておけば前記のような危険性を回避でき、安全に移乗作業が行える。更に、入浴用車椅子の未使用時には、下肢支持部を座席部の下方奥側に退避収納することで入浴用車椅子の全長を短縮することができ、入浴用車椅子の保管場所等における占有スペースを低減させることができ、限られた狭いスペースの区域にも当該入浴用車椅子を保管できるといった利点がある。
【００１２】
座席部に対して下肢支持部を複数段階的に後方向へ摺動させることにより、下肢支持部を座席部の下方奥側へ退避させる本発明によれば、前後摺動ストロークを十分確保でき、座席部の前方へ延出した下肢支持部の大部分を座席部の奥側方向まで退避させることが可能となる。
【００１３】
又、座席部に対して下肢支持部を後方向へ摺動させた後、下肢支持部の先部（足載せ枠）を鉛直方向の下方に回動させる本発明によれば、容易な操作で座席部の前方へ延出した下肢支持部を座席部の下方へ退避させることができ、入浴用車椅子の操作に不慣れな介助者であっても簡便に楽に下肢支持部の退避作業を行うことができる。
【発明を実施するための最良の形態】
【００１４】
シート部へ入浴者を移乗させる際に、介助者が入浴用車椅子へ最大限接近できるようにし移乗に係る作業性を向上させるという目的を、座席部に対して水平方向に旋回可能に取着された左右一対の下肢支持部をそれぞれ座席部の側方方向へ一時的に旋回退避とすることにより実現した。
【００１５】
又、前記の目的を座席部に対して前後方向に摺動可能に取着された下肢支持部を座席部に対して後方向へ一時的に摺動退避させることにより実現した。
【実施例１】
【００１６】
以下、本発明の実施例１を図１乃至６を参照して説明する。
図１は下肢支持部７を非旋回位置になした状態の入浴用車椅子１を示す平面図、図２は下肢支持部７を非旋回位置になした状態の入浴用車椅子１の右側面図、図３は下肢支持部７を旋回位置になした状態の入浴用車椅子１を示す右側面図である。  
入浴用車椅子１は、前後左右に計４個のキャスターを有し床面７６を走行可能な台車枠２からなる台車部３と、下端部が台車枠２に支軸４にて傾動可能に軸着される背凭部５と、背凭部５に固着される座席部６と、座席部６の先部に水平方向に旋回固定可能に取着される下肢支持部７とから構成される。  
【００１７】
前記台車枠２は左右に平行配置され前後にキャスターが取着されたパイプ２ａ・２ｂと、パイプ２ａ・２ｂの中間位置より後方の位置にて両パイプ２ａ・２ｂを横架状に連結するパイプ２ｃとから構成され、台車枠２全体は平面視Ｈ形状をなしている。前記背凭部５は、背凭フレーム７８にＦＲＰ製の表側部材７９と裏側部材（図示省略）とが接合されて形成されるものである。背凭フレーム７８の左右下端がそれぞれパイプ２ａ・２ｂに支軸４にて軸着されており、背凭部５は支軸４を支点にして所定の起立位置から傾斜位置にまで傾動可能となっている。座席部６は、背凭部５の左右に固着された側面視略Ｌ字形状のパイプ状座席枠９上に座板２７が載置されてなる。
【００１８】
下肢支持部７は図１に示すように左右一対構成とされ、左右の各下肢支持部７は平面視略Ｌ字形状のパイプ部材でなる下肢支持枠１０と下肢支持枠１０の長辺部１０ａの略中央位置に内側に向かって水平に取着された下肢載せ板１１とからなる。入浴者は下肢支持枠１０の短辺部１０ｂに足裏をあてがい、下肢載せ板１１に脹脛部を載置する。図２中、２６は入浴者が把持する把手である。
【００１９】
図４は、下肢支持部７と座席部６との連結部位を示す部分平面図である。図４に示すように座席枠９の上方面に取着され座席部６の前方向へ延出されたパイプ部材１２と下肢支持枠１０の長辺部１０ａとがジョイント１３を介して連結接続される。ジョイント１３は固定部１４と旋回部１５とから構成され、パイプ部材１２の先端がジョイント１３の固定部１４に形成されたパイプ部１６に外嵌され両パイプが螺着固定される。前記固定部１４には旋回基部１７が旋回軸１８にて水平方向に旋回可能に軸着され、旋回基部１７の先端にはパイプ部１９が形成され、該パイプ部１９に下肢支持枠１０の長辺部１０ａの一端が外嵌され、両パイプが螺着固定される。
【００２０】
旋回基部１７と固定部１４とに亘って固定部１４に対する旋回基部１７の旋回を規制するロック手段２０が設けられ、更に、旋回基部１７の側方にはロック手段２０による旋回基部１７の旋回規制を解除するロック解除手段２１が設けられている。前記ロック手段２０は、固定部１４の側壁に開設される開孔２２と該開孔２２に挿脱可能に設けられるロックピン２３とから構成され、前記ロック解除手段２１はロックピン２３を開孔２２から脱抜するロック解除レバー２４である。
【００２１】
ロック解除レバー２４の基端部２４ａに螺着されたロックピン２３は、旋回基部１７に開設される開孔２２にロック時には挿通されている。ロック解除レバー２４の基端部２４ａ及びロックピン２３は、図示しないスプリング等により固定部１４方向へ押圧付勢されている。  
【００２２】
下肢支持部７が非旋回位置にある状態では、ロックピン２３が固定部１４の開孔２２に嵌入しロック機能が作用しており、旋回基部１７は固定部１４に対して旋回不自在となっている。前記ロック機能を解除する場合は、ロック解除レバー２４のレバー部２４ｂを下肢支持枠１０方向へ押すことにより、ロックピン２３が開孔２２から抜脱され、旋回基部１７が固定部１４に対して旋回可能となる。
【００２３】
下肢支持部７を座席部６の側方へ旋回作動させる場合、介助者は前記レバー部２４ｂを押した状態で下肢支持枠１０の一部を適宜把持し座席部６に対して側方方向へ引き寄せれば下肢支持部７が座席部６の側方に旋回作動する。下肢支持部７は最大で１２０度の角度範囲まで旋回可能となされている。又、旋回部１５が固定部１４に対して不用意に旋回作動しないよう旋回軸１８の締め付け力により固定部１４と旋回部１５との摺接面に適度な摩擦抵抗を付与している。
【００２４】
尚、詳細な説明は省略するが、入浴用車椅子１には、所定の傾斜位置にまで後傾させた背凭部５を所定の起立位置にまで戻す介助者の傾動操作を補助する傾動補助手段８１が台車枠２と背凭部５とに亘って介装される。前記傾動補助手段８１は、上端部がブラケット８２を介して背凭フレーム７８に取着される筒状のアッパーブラケット８３と、アッパーブラケット８３の下端部に取着される圧縮バネ８４と、アッパーブラケット８３及び圧縮バネ８４に内嵌され下端部が前記パイプ２ｃの中央位置に固着された下部ホルダー８５に螺着された筒状のボトムブラケット８６と、前記圧縮バネ８４の収縮・復元（伸長）作動を操作する背凭ロック解除レバー８とから構成される。
【００２５】
起立位置にある背凭部５を傾斜位置にまで後傾動させる場合は、前記背凭ロック解除レバー８を上方に僅かに押し上げることで、前記傾動補助手段８１に設けられる圧縮バネ８４の収縮又は復元作動を規制する図示しないロック機構が解除され、背凭部５が後傾動可能となる。この状態で背凭部５に掛かる入浴者の荷重を利用して支軸４を支点に後傾動させると、圧縮バネ８４が収縮作動する方向へ変位し、この圧縮バネ８４の収縮作動に伴いアッパーブラケット８３がボトムブラケット８６に対して相対的に下方向へ移動することで背凭部５が傾斜位置にまで後傾動する。アッパーブラケット８３が所定の下方位置にまで移動すると、前記ロック機構が自動的に作用しアッパーブラケット８３の移動が規制され、背凭部５が所定の傾斜位置にて固定保持される構成となっている。
【００２６】
続いて、実施例１の入浴用車椅子１を用いて入浴者を入浴させる浴槽６１について説明する。浴槽６１には貯湯槽６２が一体的に形成され、浴槽６１の一側方に開口部６３が形成される。実施例１は、浴槽６１の開口部６３を入浴者が着座した入浴用車椅子１の背凭部５で閉塞することにより入浴者を入浴状態にさせるものである。図５に浴槽６１を開口部６３方向から見た斜視図、図６に浴槽６１を開口部６３方向から見た正面図を示す。
【００２７】
前記開口部６３は、浴槽６１の左・右側壁６１ａ・６１ｂの内側面に開口部６３側から浴槽６１の奥側方向に向かって傾斜状に形成された左・右内側壁６１ａａ・６１ｂｂと底壁６１ｃとで構成される接合面６４を有し、該接合面６４には入浴用車椅子１の背凭部５に形成される左・右・下平坦面６５ａ・６５ｂ・６５ｃ（図１参照）が当接可能となっている。
【００２８】
浴槽６１の接合面６４より前方向に突出して形成された左・右側壁６１ａ・６１ｂの内側上方位置にそれぞれ略Ｌ字形状の左・右補強部材６６・６６が取着され、該左・右補強部材６６・６６にそれぞれ入浴用車椅子１の左右のロックピン６７・６７が嵌入する左孔（図示省略）・右孔６８が貫設される。
【００２９】
前記接合面６４の周縁には、接合面６４に沿って接合面６４と入浴用車椅子１の背凭部５の平坦面６５との水密状態を維持する為のシール材６９が貼着される。又、浴槽６１の底壁６１ｃの内側には、浴槽６１の開口部６３と反対側位置に段部７０が形成される。段部７０を形成することにより浴槽６１の容積を減少させることができ、貯湯槽６２から浴槽６１へ移送する湯水の省湯量化が図れる。
【００３０】
浴槽６１と、入浴用車椅子１の背凭部５との固定は、以下の二つの手段により行う。一つは、浴槽６１の左右側壁６１ａ・６１ｂと入浴用車椅子１の背凭部５の左右側上部を固定する第一の固定手段７１であり、もう一つは浴槽６１の底壁６１ｃと入浴用車椅子１の背凭部５の下部を固定する第二の固定手段７２である。
【００３１】
前記第一の固定手段７１は、入浴用車椅子１側に設けられる左・右ロックピン６７・６７と、浴槽６１側に設けられる前記左孔（図示省略）・右孔６８とから構成される。前記第二の固定手段７２は、底壁６１ｃの下方外面に固着された電動アクチュエーター７３と、該電動アクチュエーター７３の伸縮自在なロッドの先端部と底壁６１ｃの端面とに回動可能に軸着される押圧片７４と、入浴用車椅子１の背凭フレーム７８下端の中央部に螺着され前記押圧片７４の押圧を受け止める図示しない受止部材とから構成される。
【００３２】
従って、入浴用車椅子１を浴槽６１の内方所定位置にまで進入させると、ロックピン６７が孔６８に自動的に嵌入し、入浴用車椅子１の背凭部５の上部と浴槽６１とが固定される。続いて、電動アクチュエーター７３のロッドの伸長作動を開始すると、押圧片７４の先端部が上方向に回転（背凭部５側に回転）し前記受止部材に当接する。更に、ロッドの伸長作動を行うと、押圧片７４により受止部材が押圧され、浴槽６１の底壁６１ｃに入浴用車椅子１の背凭部５の下部が押圧固定される。上述した第一の固定手段７１と第二の固定手段７２とにより浴槽６１の開口部６３が入浴車椅子１の背凭部５で閉塞されることになる。
【００３３】
上述した入浴用車椅子１を用いて、入浴者を浴槽６１に入浴させる場合、介助者は、先ず貯湯槽６２へ湯水を所定量貯湯する。
【００３４】
介助者は、ロック解除レバー２４のレバー部２４ｂを下肢支持枠１０方向へ押しロック機能を解除した状態で、下肢支持枠１０を座席部６に対して側方方向へ引き寄せることにより下肢支持枠１０を一時的に旋回退避させる。  
【００３５】
介助者は、入浴用車椅子１の下肢支持部７を前記退避状態に変更する準備を行った後、入浴者が搬送される他の福祉機器を入浴用車椅子１の近傍へ停車させ、入浴者を入浴用車椅子１の座席部６へ移乗させる。前述したように移乗時に左右の下肢支持枠１０を共に座席部６の側方へ所定角度旋回させることで、座席部６の前方位置に移乗の為のスペースが確保でき介助者が接近し易く移乗作業が行い易い状態となる。
【００３６】
介助者は押しハンドル７５を操作し、入浴用車椅子１を床面７６上を走行させる。入浴用車椅子１を開口部６３付近に配置し、開口部６３方向に延出し左・右側壁６１ａ・６１ｂの内側に沿って平行に取着されたガイドレール７７・７７に台車枠２を当接させながら、入浴用車椅子１を開口部６３側から浴槽６１内へ進入させる。
【００３７】
この時、台車部３は、底壁６１ｃの外部下方に位置し、入浴者の載置される座席部６及び下肢支持部７が浴槽６１内に位置する。下肢支持部７は背凭部５の後傾動に伴って上限位置に持上げされた状態であるので、浴槽６１の内方に挿入された場合にも底壁６１ｃに形成された段部７０に衝突することはない。
【００３８】
入浴用車椅子１を浴槽６１の内方所定位置にまで進入させると、ロックピン６７が孔６８に嵌入し、入浴用車椅子１の背凭部５の上部と浴槽６１とが固定される。次に、電動アクチュエーター７３のロッドを伸長作動させ、押圧片７４にて前記受止部材を押圧すると、背凭部５の左平坦面６５ａ・右平坦面６５ｂ・下平坦面６５ｃが接合面６４に当接し、浴槽６１の開口部６３が入浴用車椅子１の背凭部５で閉塞される。貯湯槽６２から浴槽６１へ湯水を移送し、入浴者を入浴させる。
【００３９】
入浴が完了し入浴者を退浴させる場合、まず浴槽６１内の湯水を入浴装置外へ排出する。浴槽６１内の水位が減少し所定の高さ位置未満になると、電動アクチュエーター７３のロッドの収縮が許容可能となるので、介助者は、ロッドを収縮させ、押圧片７４による前記受止部材の押圧固定を解除し、浴槽６１の底壁６１ｃと入浴用車椅子１の背凭部５の下部との固定を解除する。次に、入浴用車椅子１のロックピン操作レバー８０を手前方向に引き、ロックピン６７を孔６８から抜脱し、浴槽６１の左右側壁６１ａ・６１ｂと入浴用車椅子１の背凭部５の左右側上部との固定を解除し、入浴用車椅子１を浴槽６１内から退出操作する。
【００４０】
介助者は、背凭れロック解除レバー８を操作し傾斜位置にある背凭部５を起立位置にまで復帰作動させ、前述した入浴作業と逆の作業を行い、入浴用車椅子１から他の福祉機器へ入浴者を移乗させ、入浴を完了する。
【実施例２】
【００４１】
図７に本発明の実施例２を示す。図７は、下肢支持部７を座席部６に対して前後方向へ摺動させる摺動機構を示す部分断面図である。左右のパイプ状の座席枠９の下面に取付部材２８を介して第一の筒状部材２９が固定され、第一の筒状部材２９に対して第二の筒状部材３０が前後方向に摺動可能に外嵌されている。そして、第二の筒状部材３０に第三の筒状部材３１が前後方向に摺動可能に外嵌され、第三の筒状部材３１の下面に取付部材３２を介して下肢支持部７の足載せ枠２５が固定されている。実施例２は下肢支持部７が座席部６に対して前後方向に二段階的に摺動する構成となっている。尚、実施例２において実施例１と同一又は同等の構成要素については、同一符号を付記して、特に説明を要する場合を除いて構成要素の説明は省略する。
【００４２】
図７は、第二の筒状部材３０と第三の筒状部材３１をそれぞれ第一の筒状部材２９と第二の筒状部材３０に対して、前端位置にまで摺動させた状態を示す図である。以下、この状態図に基づいて、下肢支持部７の座席部６に対する前後方向への摺動に係る作用説明を行う。  
【００４３】
第二の筒状部材３０の天井面に取着された封口板３３の中心位置に基端部が螺着されたストッパーロッド３４が第二の筒状部材３０の内方向に向かって伸び出されており、前記ストッパーロッド３４は第一の筒状部材２９の天井面に開設された通過孔３５に挿嵌されている。ストッパーロッド３４の先端部外周面にはストッパーロッド３４が第一の筒状部材２９の内壁を滑らかに摺動するように摺動部材３６が取着されている。
【００４４】
又、第一の筒状部材２９の先部の外周面における二箇所位置に摺動部材３７，３７が、第二の筒状部材３０の後端部内周面に摺動部材３８がそれぞれ固着されており、これらの摺動部材３７，３８によって第一の筒状部材２９に対して第二の筒状部材３０が前後方向に滑らかに摺動可能となっている。尚、摺動部材３７・３８は、第二の筒状部材３０を前終端位置に摺動させた際に第二の筒状部材３０が第一の筒状部材２９から抜け出てしまないよう抜け止め防止機能としての役割も果たしている。
【００４５】
ストッパーロッド３４には、当該ロッド３４先端部に取着された摺動部材３６から僅かの距離を隔てた位置に、第一の筒状部材２９から延出したロッドの退入動を規制する規制部材３９が固着されている(第一のストッパー機構４０)。規制部材３９の輪郭形状は通過孔３５の輪郭形状と略同形状に、規制部材３９の形状寸法は通過孔３５より若干小さくなるよう相似的に形成されている。前記規制部材３９が規制作用をなしている状態では、規制部材３９が通過孔３５を通過しないように規制部材３９の形状方向が通過孔３５の形状方向と不一致となっている。
【００４６】
ストッパーロッド３４の基端方向位置にはストッパーピン４１が座席部６の内側方向に向かって固着され、ストッパーピン４１は対応する第二の筒状部材３０及び第三の筒状部材３１に形成される長孔４２に挿通され、ストッパーピン４１の先部は長孔４２から介助者の後述する操作を可能にする為、突出させている(第二のストッパー機構４３)。尚、ストッパーピン４１は、通常、図示しないスプリング等によって座席部６の内側方向に付勢されている。このとき第三の筒状部材３１の先端部は前記封口板３３に当接しており、第三の筒状部材３１の前方向への摺動が阻止されている。
【００４７】
第二の筒状部材３０は、前述した第一のストッパー機構４０及び第二のストッパー機構４３の二重のストッパー機構によって第一の筒状部材２９に対して摺動不可能になされている。第三の筒状部材３１は第二のストッパー機構４３のみによって第二の筒状部材３０に対して摺動不可能になされている。
【００４８】
下肢支持部７を座席部６の下方へ退避させる場合は、介助者がストッパーピン４１を押し込みながら長孔４２に沿って下方へ押し下げ操作することにより、ストッパーピン４１全体が長孔４２内に嵌入し第二のストッパー機構４３によるストッパー作用が解除され、第三の筒状部材３１の第二の筒状部材３０に対する後方向（図７中の矢印Ａ方向）への摺動が許容される。この状態で第三の筒状部材３０を後方向へ押し込み作動させることにより、第三の筒状部材３１が第二の筒状部材３０に対して摺動し、第三の筒状部材３１の摺動部材４４が第二の筒状部材３０の後端外周面に凸状形成された受止縁部４５に当接した時点で摺動停止される。
【００４９】
又、前記押し込み及び押し下げ操作に連動してストッパーロッド３４が所定方向に回転した結果、規制部材３９の輪郭形状と通過孔３５の輪郭形状との形状方向が一致し、規制部材３９が通過孔３５を通過可能となり、第二の筒状部材３０の第一の筒状部材２９に対する後方向（図７中の矢印Ｂ方向）への摺動が許容される。この状態で第二の筒状部材３０を後方向へ押し込み作動させることにより、第二の筒状部材３０が第一の筒状部材２９に対して摺動する。第二の筒状部材３０の摺動部材４５が第一の筒状部材２９の後端外周面に凸状形成された受止縁部４６に当接した時点で第二の筒状部材３０の摺動が停止される。
【００５０】
前述したように下肢支持部７を座席部６の下方後方向へ摺動させることで、座席部６の前方位置に移乗の為のスペースが確保でき介助者が入浴用車椅子１に接近し易く移乗作業が行い易い状態となる。
【実施例３】
【００５１】
図８に本発明の実施例３を示す。図８は、実施例３の下肢支持部７の摺動機構及び回転機構を示す図であり、（ａ）は下肢支持部７の水平方向の部分断面図であり、（ｂ）は下肢支持部７の鉛直方向の部分断面図であり、（ｃ）は座席部６に対する保持筒４７の取着位置を模式的に示す図である。
【００５２】
実施例３の下肢支持部７は、平面視Ｕ字形状の足載せ枠２５と、先端側が足載せ枠２５の両遊端部に連結された左右の筒状部材４８とから構成され、左右の筒状部材４８は座面取付板５８の下面に取着された筒取付板５９の左右両端部に取着され座席枠９の内側下方位置に座席枠９と平行的に設けられた保持筒４７に摺動固定可能に内嵌される（図８(ｃ)参照）。座面取付板５８の上側面には入浴者が着座可能に被覆材６０が取着される。尚、実施例３において実施例１と同一又は同等の構成要素については、同一符号を付記して、特に説明を要する場合を除いて構成要素の説明は省略する。
【００５３】
前記左右の筒状部材４８の先端には鉛直下方向に延出された延長部５１が接合形成され、延長部５１の内側方向であって上部位置に支軸４９にて足載せ枠２５の遊端部が回動可能に軸着されている。足載せ枠２５の遊端位置近傍の外周下面位置に直方体形状の部材５０が突出して取着され、部材５０には足載せ枠２５の回転を規制する固定ピン５３の挿嵌を可能にする挿入溝５２が形成されている。前記固定ピン５３は筒状部材４８の外側方向から水平に挿入溝５２に挿嵌され、固定ピン５３は常時バネ５６によって挿入溝５２方向に付勢されている。
【００５４】
又、保持筒４７の外側外周面位置には、保持筒４７に対する筒状部材４７の摺動を規制する摺動規制部材５４（具体的にはプランジャー５７）が取着される。前記筒状部材４８の外側外周面の二箇所位置に前記摺動規制部材５４の球状部５４ａが嵌入可能に堀削孔５５（先端側堀削孔５５ａ・基端側堀削孔５５ｂ）が形成される。前記球状部５４ａは常時図示しないバネによって筒状部材４８方向に付勢され、筒状部材４８を押圧している。
【００５５】
図８（ａ）及び（ｂ）に示される座席部６の前方に伸展している下肢支持部７を座席部６の下方に退避させる場合、摺動規制部材５４の摘み部５４ｂを引き、球状部５４ａを基端側堀削孔５５ｂから抜脱し筒状部材４８を保持筒４７に対して（図８（ｂ）中の矢印Ｃ方向）押し込む。筒状部材４８が押し込まれ、球状部５４ａが先端側堀削孔５５ａに臨む位置に到達すると、球状部５４ａが自動的に先端側堀削孔５５ａに嵌入し、筒状部材４８の押し込みが規制される。
【００５６】
続いて、下肢支持部７の先部（足載せ枠２５）を把持しつつ固定ピン５３を挿入溝５２から引き抜き、足載せ枠２５を左回り方向（図８（ｂ）中の矢印Ｄ方向）へ自重作用を利用して回転させる。
【００５７】
本発明は上記の実施例１乃至３で述べた実施態様に限定されるものではなく、本発明の趣旨を逸脱しない範囲において適宜設計変更できることは言うまでもない。  
【産業上の利用可能性】
【００５８】
本発明は、入浴者を着座状態で浴槽内へ挿入し入浴に供する入浴用の車椅子に適用できる。
【図面の簡単な説明】
【００５９】
【図１】本発明の下肢支持部を非旋回位置になした状態の入浴用車椅子を示す平面図である。
【図２】本発明の下肢支持部を非旋回位置になした状態の入浴用車椅子の右側面図である。
【図３】本発明の下肢支持部を旋回位置になした状態の入浴用車椅子を示す右側面図である。
【図４】本発明の下肢支持部と座席部との連結部位を示す部分平面図である。
【図５】浴槽を開口部方向から見た斜視図である。
【図６】浴槽を開口部方向から見た正面図である。
【図７】本発明の実施例２の下肢支持部を座席部に対して前後方向へ摺動させる摺動機構を示す部分断面図である。
【図８】本発明の実施例３の下肢支持部の摺動機構及び回転機構を示す図であり、（ａ）は下肢支持部の平面視の部分断面図であり、（ｂ）は下肢支持部の右側面視の部分断面図であり、（ｃ）は座席部に対する保持筒の取着位置を模式的に示す図である。
【符号の説明】
【００６０】
１    入浴用車椅子
３    台車部
５    背凭部
６    座席部
７    下肢支持部
【図１】
2006102225.tif 000003
【図２】
2006102225.tif 000004
【図３】
2006102225.tif 000005
【図４】
2006102225.tif 000006
【図５】
2006102225.tif 000007
【図６】
2006102225.tif 000008
【図７】
2006102225.tif 000009
【図８】
2006102225.tif 000010